(57)【特許請求の範囲】
【請求項１】
ウエスト開口部及び一対のレッグ開口部を有し、股下部の肌対向面上に吸収性パッドを配して着用される、ウエスト開口部と股下部の間に亘る縦方向と、これに直交する幅方向とを備えたパンツ型のパッドホルダーであって、
前記縦方向に伸長性を有し、前記幅方向に伸縮性を有しており、
前記ウエスト開口部の周縁部にはウエスト開口弾性部が配されており、
一対の前身頃第１伸長抑制部が、前身頃下半部の幅方向中央領域から前身頃上半部の左右両側部に亘ってそれぞれ延びており、
前身頃または後身頃の幅方向側方領域においては、一対の側方伸長抑制部が略縦方向に沿って延びており、
前記ウエスト開口弾性部と前記前身頃第１伸長抑制部とは間隔を置いて配されており、該前身頃第１伸長抑制部と前記側方伸長抑制部とは間隔を置いて配されているパッドホルダー。
【請求項２】
一対の前記側方伸長抑制部それぞれの少なくとも一部が、前記パッドホルダーを前身頃と後身頃とを重ねるようにしたときに側部に位置する折曲線を跨ぐように配されている請求項１に記載のパッドホルダー。
【請求項３】
一対の前記前身頃第１伸長抑制部それぞれの一部が着用時に着用者の上前腸骨棘よりも上方に位置するように配されている請求項１又は２に記載のパッドホルダー。
【請求項４】
前身頃に、パッドホルダーの幅方向の伸長性を抑制する前身頃第２伸長抑制部を有しており、該前身頃第２伸長抑制部は、前記前身頃第１伸長抑制部と交差しており、且つ前記側方伸長抑制部と接している請求項１〜３の何れか１項に記載のパッドホルダー。
【請求項５】
前記パッドホルダーは、シームレスで形成されている請求項１〜４の何れか１項に記載のパッドホルダー。
【請求項６】
前記パッドホルダーは、ボクサーブリーフ型である請求項１〜５の何れか１項に記載のパッドホルダー。
【発明の詳細な説明】
【技術分野】
【０００１】
本発明は、吸収性パッドと併用されるパッドホルダーに関する。
【背景技術】
【０００２】
従来、パッドホルダーの股下部の肌対向面上に吸収性パッドを取り付けた状態で該パッドホルダーを着用し、吸収性パッドが液を吸収した後に、吸収性パッドのみを新品と交換する一方、パッドホルダーは再利用することが行われている。斯かるパッドホルダーは、吸収性パッドを着用者の股間部にフィットした状態に保持するものであり、パッドホルダーを吸収性パッドと組み合わせて使用することにより、ゴミの量やコストの削減を図ることができる。
【０００３】
従来のパッドホルダーとして、伸縮性シートから形成され、ウエスト開口部及び一対のレッグ開口部を有し、股下部の肌対向面上に吸収性パッドを配して着用されるパッドホルダーが知られている。特にボクサーブリーフ型のパッドホルダー、即ち、着用時においてレッグ開口部の開口周縁部が股下部より下方に位置するタイプのパッドホルダーが広く普及しているが、このようなボクサーブリーフ型のパッドホルダーにおいては、該パッドホルダーの股下部に取り付けられた吸収性パッドの外部へのはみ出しを防止する目的で、一対のレッグ開口部それぞれの開口周縁部にレッグ部弾性部材が配されて太腿ギャザーが形成されており、該太腿ギャザーが着用者の太腿部を締め付けるようになされている（例えば特許文献１参照）。
【０００４】
また、先に出願人は、股上部を上下に上部領域、縦中央領域及び下部領域に三等分に区分したときに、上部領域を除く、縦中央領域及び下部領域に、縦方向の伸びを抑制する抗伸長手段を有するパッドホルダーを提案した（特許文献２参照）。
【０００５】
また、特許文献３には、クロッチ部から胴周り開口部に向けて後身頃の中央領域に設けられた帯状領域に、伸縮性が微少な微伸縮部が割り当てられているショーツが記載されている。
【先行技術文献】
【特許文献】
【０００６】
【特許文献１】特開２００２−６６０号公報
【特許文献２】特開２００８−３０２００９号公報
【特許文献３】特開２００４−２５４８６０号公報
【発明の概要】
【発明が解決しようとする課題】
【０００７】
特許文献１に開示されるような従来のボクサーブリーフ型のパッドホルダーは、併用される吸収性パッドを着用者の股間部に安定的にフィットさせることが難しく、着用者の肌と吸収性パッドとの隙間を介して漏れが生じたり、着用者と吸収性パッドとの間に生じた隙間で吸収性パッドが折れ曲がり、その結果、漏れが生じたりする場合があった。
また、特許文献２に開示のパッドホルダーによれば、吸収性パッドを、着用者の股間部に良好にフィットさせることができるが、股上部を上下に上部領域、縦中央領域及び下部領域に三等分に区分したときの上部領域に、何ら抗伸長手段を有しないので、引き上げて着用する際の使用感に改善の余地があった。また、特許文献３に開示のショーツは、後身頃の中央領域に帯状の微伸縮部が設けられているため、中央領域が全長に亘って伸長せず、着用感や動作への追従性が劣るものであった。
【０００８】
本発明は、併用される吸収性パッドを、着用者の股間部に容易にフィットさせることができ、着用する際の脱着性や着用感にも優れたパッドホルダーに関する。
【課題を解決するための手段】
【０００９】
本発明は、ウエスト開口部及び一対のレッグ開口部を有し、ウエスト開口部と股下部との間に亘る縦方向とこれに直交する幅方向とを備え、股下部の肌対向面上に吸収性パッドを配して着用されるパンツ型のパッドホルダーであって、前記縦方向に伸長性を有し、前記幅方向に伸縮性を有しており、前記ウエスト開口部の周縁部にはウエスト開口弾性部が配されており、一対の前身頃第１伸長抑制部が、前身頃下半部の幅方向中央領域から前身頃上半部の左右両側部に亘ってそれぞれ延びており、前身頃または後身頃の幅方向側方領域においては、一対の側方伸長抑制部が略縦方向に沿って延びているパッドホルダーを提供するものである。
【発明の効果】
【００１０】
本発明のパッドホルダーは、併用される吸収性パッドを、着用者の股間部に容易にフィットさせることができ、着用する際の脱着性や着用感にも優れている。
【図面の簡単な説明】
【００１１】
【図１】本発明のパッドホルダーの一実施形態を、前身頃と後身頃の肌対向面同士を面接させて平面状とした状態（自然状態）を、前身頃側から見た正面図である。
【図２】図１に示すパッドホルダーの使用状態（着用状態）を前身頃側から見た図である。
【図３】図１に示すパッドホルダーを、前身頃と後身頃の肌対向面同士を面接させて平面状とした状態（自然状態）を、後身頃側から見た背面図である。
【図４】図１に示すパッドホルダーの使用状態（着用状態）を後身頃側から見た図である。
【図５】図１に示すパッドホルダーの使用状態（着用状態）を側方から見た図である。
【図６】腸骨稜の位置を示す人体図である。
【図７】骨盤の凹部と臀筋群の重なり部にできる窪みの位置等を示す図である。
【発明を実施するための形態】
【００１２】
以下、本発明のパッドホルダーを、その好ましい実施形態に基づき図面を参照して説明する。
本実施形態のパッドホルダー１は、図１（自然状態）に示すように、パンツ型の形態を有し、ウエスト開口部５及び一対のレッグ開口部６，６を有している。本実施形態のパッドホルダー１は、所謂ボクサーブリーフ型であり、図２に示すように、着用時にレッグ開口部６が、後述する股下部４よりも下方に位置する形態となっている。
また、パッドホルダー１は、パッドホルダー１の着用時に着用者の腹側に配される前身頃２と、パッドホルダー１の着用時に着用者の背側に配される後身頃３とを有している。
【００１３】
パッドホルダー１は、図２及び４に示すように、股下部４の肌対向面（パッドホルダー着用時に着用者の肌側に向けられる面）上に、吸収性パッド７を配して着用される。ここで、股下部４とは、着用時に着用者の股間部に配される部分である。吸収性パッド７は、一般に、液透過性の表面シート、液不透過性又は撥水性の裏面シート及びこれら両シート間に挟持固定された吸収性コアを備えている。吸収性パッド７は、前記裏面シート側の面に、パッドホルダー１に固定するための固定手段（粘着部等）を有するものでも有しないものであっても良い。
パッドホルダー１は、図１に示すように、パッドホルダーの縦方向に延びる縦中心線ＣＬに対して左右対称に形成されている。
【００１４】
本発明のパッドホルダー１は、図１に示すように、ウエスト開口部５から股下部４の間に亘る縦方向（以下、「Ｙ方向」ともいう）と、縦方向（Ｙ方向）と直交する幅方向（以下、「Ｘ方向」ともいう）とを備え、縦方向（Ｙ方向）に伸長性を有し、幅方向（Ｘ方向）に伸縮性を有している。具体的には、図１，図３に示すように、パッドホルダー１の前身頃２及び後身頃３は、伸縮性部材を含んだ伸縮性シートで構成されており、全体的に伸縮性を有している。伸縮性シートの伸縮性は、少なくともホルダーの幅方向（Ｘ方向）に発現する。パッドホルダー１の縦方向（Ｙ方向）においては、伸縮性シートは伸縮性を有する必要はなく、伸長性を発現すれば良い。尚、縦方向（Ｙ方向）にも伸縮性シートが伸縮性（特に臀部〜背側腰部）を有すると、歩行や立ち座り等の動きによる臀部近傍の皮膚の伸びにパッドホルダー１が追従し易くなり、ずり落ちの発生を抑制し易くなるので好ましく、また、腹部（特に高齢者の多重腹）や臀部等の凹凸のある複雑形状に沿うことが容易となり、フィット性が良好となる点からも好ましい。
【００１５】
本発明のパッドホルダー１のウエスト開口部５の周縁部には、図１に示すように、ウエスト開口弾性部５１が配されている。具体的には、図２に示すように、ウエスト開口部５は、着用者のウエスト部分が挿通される部分であり、その開口の周縁部には、周方向に伸縮するウエスト開口弾性部５１が環状に配されている。また、図２に示すように、一対のレッグ開口部６，６は、着用者の脚が挿通される部分であり、それぞれの開口の周縁部には、周方向に伸縮するレッグ開口弾性部６１が環状に配されている。
本実施形態におけるウエスト開口弾性部５１及びレッグ開口弾性部６１は、伸縮性シートを折り返し、その端部をホルダー内面（又は外面）に固定することにより形成されている。ウエスト開口弾性部５１及びレッグ開口弾性部６１は、それぞれ、ポリウレタン繊維を含む伸縮性織布や不織布、合成ゴムシート、天然ゴムシート等からなる、前身頃２及び後身頃３を構成する伸縮性シートとは別の弾性部材を含んでいても良く、別の弾性部材を用いる場合には、別の弾性部材をウエスト開口部５及びレッグ開口部６それぞれの開口周縁部の伸縮性シートに重ねた状態で取り付けても良いし、各開口周縁部の伸縮性シートから延出するように取り付けても良い。レッグ開口弾性部６１とウエスト開口弾性部５１とでは、使用する弾性部材が同じでも良く、異なっていても良い。
【００１６】
ウエスト開口弾性部５１の存在によって、ウエスト開口部５の開口の周縁部は、パッドホルダー１の着用時に、ウエスト開口部５の直ぐ下に存する伸縮性シート一層のみからなる環状部分に比して強く着用者を締め付けることができる。同様に、レッグ開口部６，６それぞれの開口の周縁部は、各レッグ開口部６の直ぐ上に存する伸縮性シート一層のみからなる環状部分に比して強く着用者を締め付けることができる。
【００１７】
本発明のパッドホルダー１は、図１に示すように、前身頃２において、一対の前身頃第１伸長抑制部２１，２２が、前身頃下半部２Ｄの幅方向中央領域２Ｃから前身頃上半部２Ｕの左右両側部に亘ってそれぞれ延びている。ここで、前身頃下半部２Ｄとは、図１に示すように、前身頃２の股上長Ｌ２を２等分する直線Ｌ２１より下方に位置する部分であり、前身頃上半部２Ｕとは、同直線Ｌ２１より上方に位置する部分である。尚、図３に示すように、後身頃下半分３Ｄ及び後身頃上半部３Ｕについても、前身頃下半部２Ｄ及び前身頃上半部２Ｕと同様に位置する部分である。更に、幅方向中央領域２Ｃとは、前身頃２においては、前身頃２を左右に３等分に区分したときの最も左側に位置する領域（幅方向側方領域２Ｌ）と、最も右側に位置する領域（幅方向側方領域２Ｒ）とで挟まれた領域である。前身頃２を左右に３等分に区分する際には、幅方向に最も広い部分で区分する。「前身頃上半部２Ｕの左右両側部」とは、前身頃上半部２Ｕの幅方向側方領域２Ｌ，２ＲそれぞれにおけるＸ方向外方端部に位置する部分である。尚、図３に示すように、後身頃３における幅方向中央領域３Ｃ及び幅方向側方領域３Ｌ，３Ｒについても、前身頃２における幅方向中央領域２Ｃ及び幅方向側方領域２Ｌ，２Ｒと同様に位置する領域である。
【００１８】
本実施形態においては、図２に示すように、パッドホルダー１は、着用時に前身頃２によって着用者の腸骨稜８，８が覆われるようになされており、一対の前身頃第１伸長抑制部２１，２２は、図２に示すように、それぞれの一部２１ｃ，２２ｃが、着用時に着用者の上前腸骨棘８１よりも上方（図２中の上側）に位置するように帯状に配されている。更に、本実施形態では前身頃第1伸張抑制部２１，２２の一部は、上前腸骨稜よりも上方に位置するように配されている。具体的には、前身頃第１伸長抑制部２１，２２は、最もウエスト開口部５寄りの後述する前身頃第２伸長抑制部２３の位置よりウエスト開口部５側（図１中の上側）に延出し、着用時に上前腸骨棘８１の上方であり、更に腸骨稜８の上方（図２中の上側）に位置する部位まで延出している。前身頃第１伸長抑制部２１，２２は、後に詳述する前身頃第２伸長抑制部２３の位置から、パッドホルダーの縦方向に３ｃｍ以上延出していることが好ましく、５〜１０ｃｍ延出していることがより好ましい。
【００１９】
尚、腸骨稜（ちょうこつりょう）（図６に符号８で示す部分）及び上前腸骨棘（図６に符号８１で示す部分）は、共に解剖学の用語である。上前腸骨棘８１は、図６に示すように、腸骨稜８の前方下部に位置する部分である。ここで、腸骨稜について説明すると、腸骨稜は、腸骨（ちょうこつ）が、寛骨臼（かんこつきゅう）の上部を作る腸骨体（ちょうこつたい）とそれより上方において扇状に拡がる腸骨翼（ちょうこつよく）とを有しており、その腸骨翼の上縁（図６に符号８で部分）に位置する部分のことである。
上前腸骨棘８１及び腸骨稜８は、着用者の左右に一対存在する。尚、図２には、へその位置を符号１０で示してある。
【００２０】
本実施形態においては、一対の前身頃第１伸長抑制部２１，２２は、前身頃上半部２Ｕ側の端部２１ａ，２２ａそれぞれが、図１に示すように、パッドホルダー１を、前身頃２と後身頃３の肌対向面同士を面接させて平面状の自然状態としたときにホルダーの側部に生じる折曲線１ａ，１ａに達しているが、端部２１ａ，２２ａそれぞれが、折曲線１ａ，１ａに達していなくても良い。端部２１ａ，２２ａそれぞれが、折曲線１ａ，１ａに達していない場合には、折曲線１ａ，１ａまでの最短距離が３０ｍｍ以下、特に１０ｍｍ以下であることが好ましい。
また、本実施形態においては、一対の前身頃第１伸長抑制部２１，２２は、前身頃下半部２Ｄ側の端部２１ｂ，２２ｂそれぞれが、図１に示すように、幅方向中央領域２Ｃより中心線ＣＬ寄りの、一対のレッグ開口部６，６間の領域４１まで入り込んでいるが、前身頃２と後身頃３の肌対向面同士を面接させて平面状の自然状態としたときに股下部４に生じる折曲線１ｂにまで達していることがより好ましい。
尚、前身頃下半部２Ｄ及び後身頃下半部３Ｄの下端の位置と、パッドホルダー１を、前身頃２と後身頃３の肌対向面同士を面接させて平面状の自然状態としたときに股下部４に生じる折曲線１ｂの位置とは同じである。
【００２１】
一対のレッグ開口部６，６間の領域４１の幅方向（Ｘ方向）距離（自然状態において股下部４に生じる折曲線１ｂ上で両レッグ開口縁部間に相当するパッドホルダーの幅方向（Ｘ方向）の長さ）は、パッドホルダー１および吸収性パッド７の着用者の股間部への密着性向上の観点から、３〜１５ｃｍであることが好ましく、６〜１２ｃｍであることがより好ましい。また、前身頃第１伸長抑制部２１，２２は、前身頃下半部２Ｄにおいて互いに交差しないことが好ましい。
【００２２】
本発明のパッドホルダー１は、図１に示すように、前身頃２または後身頃３の幅方向側方領域２Ｌ，２Ｒにおいては、一対の側方伸長抑制部１１，１２が略縦方向（Ｙ方向）に沿って延びている。即ち、側方伸長抑制部１１，１２は、前身頃２の幅方向側方領域２Ｌ，２Ｒにのみ略縦方向（Ｙ方向）に沿って配されていてもよく、後身頃３の幅方向側方領域３Ｌ，３Ｒにのみ略縦方向（Ｙ方向）に沿って配されていてもよいが、パッドホルダー１を履く際に、不規則な伸縮性を発現しやすいパッドホルダー１の側部に生じる折曲線１ａ，１ａを、確実に引き上げる観点から、一対の側方伸長抑制部１１，１２それぞれの少なくとも一部が、パッドホルダー１を前身頃２と後身頃３とを重ねるようにしたときに側部に位置する折曲線１ａ，１ａを跨ぐように配されていることが好ましい。具体的には、帯状の側方伸長抑制部１１が、前身頃２の幅方向側方領域２Ｌから後身頃３の幅方向側方領域２Ｒに向かって折曲線１ａを跨ぐように配されており、同様に帯状の側方伸長抑制部１２が、前身頃２の幅方向側方領域２Ｌから後身頃３の幅方向側方領域２Ｒに向かって折曲線１ａを跨ぐように配されていることが好ましい。本実施形態においては、図１，図３に示すように、一対の側方伸長抑制部１１，１２それぞれが、前身頃第１伸長抑制部２１，２２及び後身頃第１伸長抑制部３１，３２の股下部４側に略縦方向（Ｙ方向）に沿って延びている。具体的には、図１，図３に示すように、一対の側方伸長抑制部１１，１２それぞれが、折曲線１ａ，１ａ上に沿って、一対の側方伸長抑制部１１，１２それぞれのウエスト開口部５側の一端部１１ａ，１２ａそれぞれが、後述する前身頃第２伸長抑制部２０の中で最もウエスト開口部５寄りの前身頃第２伸長抑制部２３と接するまで延びており、レッグ開口部６側の他端部１１ｂ，１２ｂそれぞれがレッグ開口部６のレッグ開口弾性部６１と接するまで延びている。一対の側方伸長抑制部１１，１２それぞれは、全域において、その幅で折曲線１ａ，１ａを跨いだ状態で縦方向（Ｙ方向）に沿って帯状に延びている。
【００２３】
本実施形態のパッドホルダー１においては、ウエスト開口弾性部５１と前身頃第１伸長抑制部２１，２２とは間隔を置いて配されており、前身頃第１伸長抑制部２１，２２と側方伸長抑制部１１，１２とは間隔を置いて配されている。具体的には、側方伸長抑制部１１，１２が前身頃２に配されている場合には、パッドホルダー１の前身頃２において、前身頃第１伸長抑制部２１，２２の前身頃上半部２Ｕ側の端部２１ａ，２２ａ（ウエスト開口部５にもっとも近い部分）が、ウエスト開口弾性部５１と間隔を置いて配されており、前身頃第１伸長抑制部２１，２２が、側方伸長抑制部１１，１２のウエスト開口部５にもっとも近い一端部１１ａ，１２ａと間隔を置いて配されている。言い換えると、前身頃２では、パッドホルダー１の縦方向（Ｙ方向）に関して、ウエスト開口弾性部５１と前身頃第１伸長抑制部２１，２２との間及び前身頃第１伸長抑制部２１，２２と側方伸長抑制部１１，１２との間それぞれに、前身頃第１伸長抑制部２１，２２及び側方伸長抑制部１１，１２よりも伸長性の高い領域が存在している。側方伸長抑制部１１，１２が後身頃３に配されている場合も同様に、後身頃３では、パッドホルダー１の縦方向（Ｙ方向）に関して、ウエスト開口弾性部５１と後述する後身頃第１伸長抑制部３１，３２との間及び後述する後身頃第１伸長抑制部３１，３２と側方伸長抑制部１１，１２との間それぞれに、後述する後身頃第１伸長抑制部３１，３２及び側方伸長抑制部１１，１２よりも伸長性の高い領域が存在している。本実施形態のように、側方伸長抑制部１１，１２が前身頃２及び後身頃３それぞれに配されている場合も同様に、縦方向（Ｙ方向）に関して、ウエスト開口弾性部５１と、前身頃第１伸長抑制部２１，２２又は後述する後身頃第１伸長抑制部３１，３２との間に、伸長性の高い領域が存在しており、更に前身頃第１伸長抑制部２１，２２又は後述する後身頃第１伸長抑制部３１，３２と、側方伸長抑制部１１，１２との間に、伸長性の高い領域が存在している。
側方伸長抑制部１１，１２のウエスト開口部５側の一端部１１ａ，１２ａとレッグ開口部６側の他端部１１ｂ，１２ｂとの長手方向距離が、前身頃第１伸長抑制部２１，２２（あるいは後身頃第１伸長抑制部３１，３２）の前身頃上半部２Ｕ側の端部２１ａ，２２ａ（あるいは後身頃上半部３Ｕ側の端部３１ａ，３２ａ）とレッグ開口部６のレッグ開口弾性部６１の上端とを結ぶ長手方向距離の５０〜９０％であることが、折曲線１ａ，１ａを確実に引き上げる観点から好ましく、６０〜８０％であることがより好ましい。
【００２４】
本実施形態のパッドホルダー１においては、図１に示すように、前身頃２に、パッドホルダーの幅方向（Ｘ方向）の伸長性を抑制する前身頃第２伸長抑制部２０を有している。前身頃第２伸長抑制部２０が複数本からなる場合には、少なくとも１本以上、好ましくは複数本、より好ましくは全部が、前身頃第１伸長抑制部２１，２２と接触又は交差していることが好ましい。本実施形態のパッドホルダー１においては、図１に示すように、前身頃第２伸長抑制部２０は、前身頃第１伸長抑制部２１,２２と交差しており、且つ側方伸長抑制部１１，１２と接している。具体的には、パッドホルダー１の前身頃２には、図１に示すように、複数本の前身頃第２伸長抑制部２０、本実施形態では４本の前身頃第２伸長抑制部２３〜２６が、それぞれ、パッドホルダーの幅方向（Ｘ方向）に直線状に延びて形成されている。また、４本の前身頃第２伸長抑制部２３〜２６は、パッドホルダー１の縦方向（Ｙ方向）に間欠に配置されており、互いに並行している。そして、前身頃第２伸長抑制部２０のうち３本（前身頃第２伸長抑制部２４，２５，２６）は前身頃下半部２Ｄに存在し、前身頃第２伸長抑制部２０のうち１本（前身頃第２伸長抑制部２３）が上半部２Ｕに存在している。
【００２５】
着用中に前身頃第１伸長抑制部２１，２２の幅方向（Ｘ方向）位置が移動しにくくなり、吸収性パッド７が安定して固定されやすくなると共に、パッドホルダー１及び吸収性パッド７のよれが抑制され着用感が向上する観点から、前身頃下半部２Ｄにおいて、複数本の前身頃第２伸長抑制部２０（本実施形態においては、前身頃第２伸長抑制部２４，２５，２６）が、一対の前身頃第１伸長抑制部２１，２２間に亘り配されることが好ましい。ここで、「前身頃第２伸長抑制部２４，２５，２６が、一対の前身頃第１伸長抑制部２１，２２間に亘り配される」とは、前身頃第１伸長抑制部と前身頃第２伸長抑制部とが少なくとも一部で接触しているような状態に加え、１０ｍｍ未満の離間も類似の作用を有しうることから含む。ただし、確実な効果を得るためには前身頃第１伸長抑制部と前身頃第２伸長抑制部が少なくとも一部で接触していることが好ましい。
【００２６】
パッドホルダー１においては、図１に示すように、４本の前身頃第２伸長抑制部のうちの最もウエスト開口部５寄りの前身頃第２伸長抑制部２３は、パッドホルダーの幅方向（Ｘ方向）において、前身頃第１伸長抑制部２１，２２と十字状に交差し、前身頃第１伸長抑制部２１，２２よりも外方に、側方伸長抑制部１１，１２と接する迄延出している。
パッドホルダー１においては、図２及び図５に示すように、着用時に、着用者の腸骨稜８の少なくとも一部（図２、５においては、腸骨稜の上部側）の上下を、前身頃第１伸長抑制部２１，２２と、前身頃第２伸長抑制部２３の前身頃第１伸長抑制部２１，２２より外方に延出した延出部分２３ｃとで挟むことができるようになっている。したがって、腸骨稜に位置する部分は伸長性を有し、着用時等に下方向に力が加わった場合に前身頃第１伸長抑制部に力が伝わるまでの緩衝部として作用しうるので、すり落ち抑制効果が高まる。当該領域が縦方向に伸縮性であれば、着用者の動きに追従するので、伸長抑制作用が働く際に腸骨稜部での感触が柔らかくなるので好ましい。縦方向の伸長性（又は伸縮性）が腸骨棘に位置する部分に存在すると、同様の観点からより好ましい。
【００２７】
更に、本実施形態のパッドホルダー１においては、最も下側（最も股下部４寄り側）の１本（第２伸長抑制部２６）を除く２本の第２伸長抑制部２４、２５も、上述した第２伸長抑制部２３と同様にパッドホルダー１の幅方向（Ｘ方向）において、前身頃第１伸長抑制部２１，２２と十字状に交差し、前身頃第１伸長抑制部２１，２２よりも外方に、側方伸長抑制部１１，１２と接する迄延出している。該２本の前身頃第２伸長抑制部２４、２５は、前身頃第１伸長抑制部２１，２２よりも幅方向外方へ延出していなくても良いが、最もウエスト開口部寄りの前身頃第２伸長抑制部２３以外の前身頃第２伸長抑制部（本実施形態では２４、２５）が、前身頃第１伸長抑制部２１，２２よりも外方に延出していると、上述の腸骨稜８を挟む効果がより発揮されやすくなる。更に、後述する後身頃第２伸長抑制部３６、３７が、後述する後身頃第１伸長抑制部３１，３２よりも外方に、側方伸長抑制部１１，１２と接する迄延出し、かつ、後身頃第２伸長抑制部２４，２５と後身頃第２伸長抑制部３６、３７が互いに連接している場合には、前身頃上半部２Ｕ又は後身頃上半部３Ｕの側部付近を手に掴んでパッドホルダー１を引き上げたときに、その力が、前身頃第１伸長抑制部２１，２２、後身頃第１伸長抑制部３１，３２及び側方伸長抑制部１１，１２を介して、前身頃第２伸長抑制部２４、２５及び後身頃第２伸長抑制部３６、３７に伝わり易く好ましい。幅方向（Ｘ方向）に延びる前身頃第２伸長抑制部２４、２５及び後身頃第２伸長抑制部３６、３７に縦方向（Ｙ方向）の引張力が効率よく伝達されるため、パッドホルダー１の全体を引き上げるのが一層容易であり、パッドホルダー１全体を適正位置にまで容易に引き上げることができる。
【００２８】
他方、残りの前身頃第２伸長抑制部２６は、図１に示すように、その両端部が、前身頃第１伸長抑制部２１，２２の位置にあり、幅方向（Ｘ方向）において外方に延出していない。即ち、前身頃第２伸長抑制部２６は、前身頃第１伸長抑制部２１，２２と接するだけで、十字状に交差していない。このようにすることで、活動時、特に歩行時の着用者の動きに対してパッドホルダー１が追従し易く、歩行時の抵抗、違和感が少なくなるので、動作性に優れることから好ましい。おおむね、股下部４の折曲線１ｂからウエスト開口部５に向かって５ｃｍの範囲にある前身頃第２伸長抑制部２０）については、前身頃第２伸長抑制部２６と同様に前身頃第１伸長抑制部２１，２２の外方に延出しないことが、大腿部での良好な着用感の観点から好ましい。
また、前身頃第１伸長抑制部２１，２２は、最もウエスト開口部５寄りの前身頃第２伸長抑制部２３の位置よりウエスト開口部５側（上側）に延出している。
【００２９】
各前身頃第２伸長抑制部２０の、パッドホルダー１の縦方向（Ｙ方向）に沿った長さは、吸収性パッド７の保持性の観点から、その上下に位置する高伸長性部分の同方向（Ｙ方向）の長さよりも短いことが好ましい。
各前身頃第２伸長抑制部２０の、パッドホルダー１の縦方向（Ｙ方向）に沿った長さは、パッドホルダー１の幅方向（Ｘ方向）外方から中心線ＣＬに向かってその長さを変えても良く、パッド保持性の観点から、幅方向（Ｘ方向）外方から中心線ＣＬに向かって縦方向（Ｙ方向）の長さを長くすることが好ましい。
各前身頃第２伸長抑制部２０は、本実施形態においては、図１に示すように、並行に直線状に形成されているが、Ｙ方向の上方あるいは下方に向けて凸状、あるいは波状等の形状としても良く、パッド保持性や着用者へのフィット性の観点から、直線状か下方に向けて凸状とすることが好ましい。なお、「前身頃第２伸長抑制部の縦方向に沿った長さ」とは前身頃第２伸長抑制部の正中線上における縦方向（Ｙ方向）に沿った長さを指す。
【００３０】
前身頃第１伸長抑制部２１，２２（後述する後身頃３の後身頃第１伸長抑制部３１，３２、後述する後身頃３の後身頃中間伸長抑制部３３，３４も同様）は、パッドホルダーの縦方向（Ｙ方向）における最大伸長率が、前身頃２又は後身頃３の胴回り部分における、前身頃第１伸長抑制部２１，２２を挟んだ両側の少なくとも一方に位置する部分よりも小さくなされている部分、または、パッドホルダー１の縦方向（Ｙ方向）において特定荷重を加えたときの伸長率が前身頃２又は後身頃３の胴回り部分における、前身頃第１伸長抑制部２１，２２を挟んだ両側の少なくとも一方に位置する部分よりも小さくなされている部分である。着脱性や着用感の点からは前者であることが好ましい。
【００３１】
側方伸長抑制部１１，１２は、パッドホルダーの縦方向（Ｙ方向）における最大伸長率が、前身頃２又は後身頃３の胴回り部分における、側方伸長抑制部１１，１２を挟んだ両側の少なくとも一方に位置する部分よりも小さくなされている部分、または、パッドホルダー１の縦方向（Ｙ方向）において特定荷重を加えたときの伸長率が前身頃２又は後身頃３の胴回り部分における、側方伸長抑制部１１，１２を挟んだ両側の少なくとも一方に位置する部分よりも小さくなされている部分である。着脱性や着用感の点からは前者であることが好ましい。
【００３２】
前身頃第２伸長抑制部２０（後述する後身頃３の後身頃第２伸長抑制部３０も同様）は、パッドホルダー１の幅方向（Ｘ方向）における最大伸長率が、前身頃２又は後身頃３の胴回り部分における、前身頃第２伸長抑制部２０を挟んだ両側（上下）の少なくとも一方に位置する部分よりも小さくなされている部分、または、パッドホルダーの幅方向（Ｘ方向）において特定荷重を加えたときの伸長率が前身頃２又は後身頃３の胴回り部分における、前身頃第２伸長抑制部を挟む両側（上下）の少なくとも一方に位置する部分よりも小さくなされている部分である。なお、前身頃第２伸長抑制部２０と前身頃第１伸長抑制部２１，２２とが交差している場合には、幅方向の最大伸長率又は前記伸長率が前身頃第１伸長抑制部２１，２２より前身頃第２伸長抑制部２０で小さく、また、縦方向の最大伸長率または前記伸長率が前身頃第２伸長抑制部２０より前身頃第１伸長抑制部２１，２２で小さいことが好ましい。
最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ｝×１００％・・・（１）
【００３３】
前身頃第１伸長抑制部２１，２２の縦方向の最大伸長率は、１８０％未満であることが好ましく、２０〜１５０％がより好ましく、４０〜１２０％が更に好ましい。
側方伸長抑制部１１，１２の縦方向の最大伸長率は、１８０％未満であることが好ましく、２０〜１５０％がより好ましく、４０〜１２０％が更に好ましい。
前身頃２における、前身頃第１伸長抑制部２１，２２、側方伸長抑制部１１，１２及び前身頃第２伸長抑制部２０以外の高伸長性部分、例えば前身頃第１伸長抑制部２１，２２を挟んでその両側に位置する縦方向高伸長性の部分それぞれの最大伸長率（Ｙ方向）は、パッドホルダーの着脱容易性や着用感の点から、１２０％以上、特に１２５％以上、更には１５０％以上、殊更１８０％以上であることが好ましく、また、前身頃第１伸長抑制部２１，２２の最大伸長率との差が、３０％以上、特に５０〜１５０％であることが好ましく、更に、側方伸長抑制部１１，１２の最大伸長率との差が３０％以上、特に５０〜１５０％であることが好ましい。
また、前身頃第２伸長抑制部２３〜２６の幅方向の最大伸長率は、２００％未満であることが好ましく、５０〜１８０％がより好ましく、７０〜１６０％が更に好ましい。例えば、前身頃第２伸長抑制部２３〜２６を挟んでその上下に位置する幅方向高伸長性の部分それぞれの最大伸長率（Ｘ方向）は、パッドホルダーの着脱容易性や着用感、吸収パッドの保持性の点から、１６０％以上、特に１８０％以上、殊更２００％以上であることが好ましく、また、前身頃第２伸長抑制部２３〜２５の最大伸長率との差が、２０％以上、特に３０〜１３０％であることが好ましい。
【００３４】
また、パッドホルダー１は、自然状態において総面積（外面又は内面の総面積）の３５％以上、より好ましくは５０％以上、更に好ましくは６５％以上が、前身頃伸長抑制部２１（２２）よりも伸長性が高い部分、即ち、最大伸長率がより大きい部分となっていることが、パッドホルダーの着脱容易性や装着感の点から好ましい。全伸長抑制部は前記総面積の３５％以上、特に５０％以上であることが好ましい。前身頃伸長抑制部２１，２２の総面積は前身頃側の面積に対して３％以上５０％未満、特に３％以上２０％未満、更に５％以上１５％未満であることが装着感、着用操作時の引き上げ性、吸収性パッドの安定したホールド性の観点等から好ましい。なお、後述する後身頃第１伸長抑制部３１，３２についても同様である。前身頃第２伸長抑制部２３〜２６の面積は前身頃の面積に対して６％以上２０％未満、特に８％以上１５％未満であることが同様の観点から好ましい。なお、後身頃第２伸長抑制部３５〜３８各々の面積についても同じである。また、側方伸長抑制部１１，１２の面積は総面積の２％以上３０％未満、特に３％以上１５％未満、更に３％以上１０％未満であることが同様の観点から好ましい。
【００３５】
前身頃第１伸長抑制部２１，２２の最大伸長率は、前身頃第１伸長抑制部２１，２２を、パッドホルダー１の縦方向（Ｙ方向）に伸長させて測定する。
同様に、側方伸長抑制部１１，１２の最大伸長率も、側方伸長抑制部１１，１２を、パッドホルダー１の縦方向（Ｙ方向）に伸長させて測定する。
前身頃第２伸長抑制部２０の最大伸長率は、前身頃第２伸長抑制部２０を、パッドホルダーの幅方向（Ｘ方向）に伸長させて測定する。
他方、前身頃第１伸長抑制部２１，２２及び側方伸長抑制部１１，１２以外の縦方向高伸長性部分の最大伸長率（Ｙ方向）は、該高伸長性部分を、パッドホルダーの縦方向（Ｙ方向）に伸長させて測定する。
前身頃第２伸長抑制部２３〜２６以外の幅方向高伸長性部分の最大伸長率（Ｘ方向）は、該高伸長性部分を、パッドホルダーの幅方向（Ｘ方向）に伸長させて測定する。
【００３６】
〔前身頃第１伸長抑制部２１，２２又は側方伸長抑制部１１，１２の最大伸長率測定方法〕
測定対象のパッドホルダーから、自然状態において、その縦方向（Ｙ方向）に１００ｍｍ、幅方向（Ｘ方向）に５０ｍｍの寸法の長方形形状で、かつ、測定用サンプルの長手方向（Ｙ方向相当）中央に少なくとも６０ｍｍの範囲に亘って前身頃第１伸長抑制部２１，２２又は側方伸長抑制部１１，１２が含まれるように切り出し、この切り出された長方形形状を測定用サンプルとする。なお、上記サンプル調整方法は６０ｍｍの範囲全長に亘り連続して前身頃第１伸長抑制部２１，２２又は側方伸長抑制部１１，１２が配置していることを前提としているが、前身頃第１伸長抑制部２１，２２又は側方伸長抑制部１１，１２が、その一部で分断されて断続的に縦方向高伸長性部分を含んでいる場合もこの範疇に含めるものとする。
この測定サンプルを、その長手方向（Ｙ方向相当）が引っ張り方向となるように、引張試験機のチャックに取り付ける。このとき、上下のチャックのいずれにおいても前身頃第１伸長抑制部２１，２２又は側方伸長抑制部１１，１２が挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のように測定用サンプルが取り出せない場合は、適宜サンプル長さ、サンプル幅、チャック間距離、チャック幅、を変更しても良い。
【００３７】
前身頃第１伸長抑制部２１，２２及び側方伸長抑制部１１，１２以外の縦方向高伸長性部分の最大伸長率（Ｙ方向）の測定方法は、上記に準じる。但し、測定用サンプルを切り出す際には、測定用サンプル中に前身頃第１伸長抑制部２１，２２及び側方伸長抑制部１１，１２を含まないようにする。ただし、測定用サンプル中に前身頃第２伸長抑制部２０は一部含んでもよい。
【００３８】
〔前身頃第２伸長抑制部２０の最大伸長率測定方法〕
測定対象のパッドホルダーから、自然状態において、その幅方向（Ｘ方向）に１００ｍｍ、長手方向（Ｙ方向相当）に５０ｍｍの寸法の長方形形状で、かつ、測定用サンプルの長手方向（Ｘ方向相当）中央に、少なくとも一本の前身頃第２伸長抑制部２３〜２５が、少なくとも６０ｍｍの範囲に亘って含まれるように切り出し、この切り出された長方形形状を測定用サンプルとする。なお、上記サンプル調製方法では、６０ｍｍの範囲全長に亘り連続して前身頃第２伸長抑制部２３〜２６が配置していることを前提としているが、前身頃第２伸長抑制部２３〜２６がその一部で分断されて幅方向高伸長性部分を含んでいる形態もこの範疇に含めるものとする。
この測定サンプルを、その長手方向（Ｘ方向相当）が引っ張り方向となるように、引張試験機のチャックに取り付ける。このとき、上下のチャックのいずれにおいても前身頃第２伸長抑制部２３〜２６の少なくとも一本が挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のようにサンプルが取り出せない場合は、適宜サンプル長さ、サンプル幅、チャック間距離、チャック幅、を変更しても良い。
【００３９】
前身頃第２伸長抑制部２３〜２６以外の幅方向高伸長性部分の最大伸長率（幅方向）の測定方法は、上記に準じる。但し、測定用サンプルを切り出す際には、測定用サンプル中に前身頃第２伸長抑制部２３〜２６を含まないようにする。ただし、測定用サンプル中に前身頃第１伸長抑制部２１，２２又は側方伸長抑制部１１，１２は一部含んでもよい。
【００４０】
また、前身頃第１伸長抑制部２１，２２が「パッドホルダー１の縦方向（Ｙ方向）において特定荷重を加えたときの伸長率が前身頃２又は後身頃３の胴回り部分における、前身頃第１伸長抑制部２１，２２を挟んだ両側の少なくとも一方に位置する部分よりも小さくなされている」とは、通常の着用状態において排泄物がパッドに保持された状態を想定し、３Ｎ加重時の伸長率で対比したときに伸長率が小さいことを意味する。測定用サンプルの準備方法及び測定方法は、加重値以外については上記最大伸長率の測定方法に準じて行う。側方伸長抑制部１１，１２又は前身頃第２伸長抑制部２０の特定荷重を加えたときの伸長率についても考え方は同様である。
前身頃第１伸長抑制部２１，２２、側方伸長抑制部１１，１２及び前身頃第２伸長抑制部２０の幅は特に制限されないが、例えば図示例のものの幅は０．５〜５ｃｍ程度である。
【００４１】
本実施形態のパッドホルダー１は、図１〜図４に示すように、一対の前身頃第１伸長抑制部２１，２２が、前身頃下半部２Ｄの幅方向中央領域２Ｃから前身頃上半部２Ｕの左右両側部に亘ってそれぞれ延びており、幅方向側方領域２Ｌ，２Ｒにおいては、一対の側方伸長抑制部１１，１２が、前身頃第１伸長抑制部２１，２２の股下部４側に、略縦方向（Ｙ方向）に沿って延びている。このように配された前身頃第１伸長抑制部２１，２２と、縦方向（Ｙ方向）に沿って延びる側方伸長抑制部１１，１２により、履く際に、股下部４と幅方向側方領域２Ｌ，２Ｒが同時に引き上がるため、レッグ開口部６，６の周辺部全体が取り残されることなく引き上がり、併用される吸収性パッド７を、着用者の股間部に容易にフィットさせることができ着用感を向上させ、着用する際の脱着性も向上させることができる。履く際には、一対の前身頃第１伸長抑制部２１，２２がパッドホルダー１の形状を安定化すると共に、一対の側方伸長抑制部１１，１２が、前身頃第１伸長抑制部２１，２２の股下部４側にあるため、側方伸長抑制部１１，１２が歪むことなく効率的にレッグ開口部６，６の周辺部全体を引き上ることができる。
【００４２】
また、本実施形態のパッドホルダー１は、図１〜図４に示すように、ウエスト開口弾性部５１と前身頃第１伸長抑制部２１，２２とが間隔を置いて配されており、前身頃第１伸長抑制部２１，２２と側方伸長抑制部１１，１２とが間隔を置いて配されている。即ち、前身頃２では、パッドホルダー１の縦方向（Ｙ方向）に関して、ウエスト開口弾性部５１と前身頃第１伸長抑制部２１，２２との間及び前身頃第１伸長抑制部２１，２２と側方伸長抑制部１１，１２との間それぞれに、前身頃第１伸長抑制部２１，２２及び側方伸長抑制部１１，１２よりも伸長性の高い領域が存在している。この構成により、特に姿勢変化時（前屈、立ち座り、等）の皮膚の伸縮にパッドホルダー１が追随し、パッドホルダー１着用中のずり落ちが抑制されるとともに、運動時や深呼吸時などであっても腹部の自由度が確保されて快適さが維持される。また、歩行等の活動時に皮膚の伸長量を伸長性の高い領域が吸収するため、パッドホルダー１の引き連れ等に起因する活動阻害を防止できる。更に、伸長抑制部２１，２２によるずり落ち抑制により、ウエスト開口弾性部５１によるウエスト部の締め付けを弱くしても、パッドホルダーのずり落ちを抑制することが可能となるので、着用中の不快感や締め付け痕を低減することができる。
【００４３】
また、本実施形態のパッドホルダー１は、図５に示すように、一対の側方伸長抑制部１１，１２それぞれが、全域において、その幅で折曲線１ａ，１ａを跨いだ状態で縦方向（Ｙ方向）に沿って帯状に延びている。前身頃第１伸長抑制部２１，２２とレッグ開口部６，６との距離が最も長い折曲線１ａ，１ａは、履く際に最も伸び易い部位であるが、一対の側方伸長抑制部１１，１２により折曲線１ａ，１ａを効率的に引き上げることができる。
一対の側方伸長抑制部１１，１２それぞれは、折曲線１ａ，１ａを効率的に引き上げる観点から、一対の側方伸長抑制部１１，１２それぞれの全長の７０％以上において折曲線１ａ，１ａを跨いでいることが好ましく、全域において折曲線１ａ，１ａを跨いでいること、即ち、全域において折曲線１ａ，１ａ上に配されていることがより好ましい。
一対の側方伸長抑制部１１，１２それぞれの幅は、長手方向の各部位において異なっていても良いが、折曲線１ａ，１ａを効率的に引き上げる観点から、長手方向の各部位において略同幅であることが好ましい。
【００４４】
また、本実施形態のパッドホルダー１は、一対の前身頃第１伸長抑制部２１，２２の一部２１ｃ，２２ｃが、図２に示すように、着用時に着用者の上前腸骨棘８１の上方（図２中の上側）に位置するように帯状に形成されているため、吸液による吸収性パッド７の重量増加等により、パッドホルダー１の着用時に、パッドホルダー１を下方に引き下げる力が働いても、前身頃第１伸長抑制部２１，２２が、上前腸骨棘８１，８１に引っ掛かり、しかも、前身頃第１伸長抑制部２１，２２が、伸縮性シートからなる高伸長性部分の伸長に抗して、股下部４の下方への移動を抑制するため、吸収性パッド７やパッドホルダー１の下方へのずり落ちを効果的に防止することができる。吸収性パッド７の吸収容量が大きい場合、例えば、吸収容量（生理食塩水で測定）が２５０ｍＬ以上、あるいは３００ｍＬ以上の場合には、吸収性パッド７による引き下げ力が大きくなるが、そのような場合であっても、前身頃第１伸長抑制部２１，２２の作用により、吸収性パッド７を着用者の股間にフィットした状態に保持（ホールド）することができる。このような伸長抑制部が存在しない形態においては、ウエスト弾性部材によってずり落ち防止を図ることが必要で、その締め付け力を高くする等の工夫が必要であったが、それに伴う不都合を、本発明では緩和・解消することができる。
【００４５】
また、本実施形態のパッドホルダー１は、前身頃２に、パッドホルダーの幅方向（Ｘ方向）に延びる前身頃第２伸長抑制部２０を有しており、前身頃第２伸長抑制部２０は、前身頃第１伸長抑制部２１，２２と交差しており、且つ側方伸長抑制部１１，１２と接している。このように、前身頃第２伸長抑制部２０が前身頃第１伸長抑制部２１，２２間に亘っていることにより、支柱のように機能する前身頃第１伸長抑制部２１，２２に前身頃第２伸長抑制部２０が支持されており、吸液により吸収性パッド７の重量が増加しても、前身頃第２伸長抑制部２０がハンモックのように作用し、前身頃第２伸長抑制部２０が垂れ下がることを効果的に抑制することができる。これにより、吸収性パッド７を着用者の股間部に良好にフィットした状態に保持することができる。本実施形態においては、前身頃第２伸長抑制部２０は、前身頃第１伸長抑制部２１，２２と交差しており、更に側方伸長抑制部１１，１２に接するまで延びているので、前身頃第２伸長抑制部２０が垂れ下がることを更に効果的に抑制することができる。活動時においても、吸収性パッド７を着用者の股間部に良好にフィットした状態に保持する観点からは、少なくとも２本以上の前身頃第２伸長抑制部２０が前身頃第１伸長抑制部２１，２２と交差しており、更に側方伸長抑制部１１，１２に接するまで延びていることが好ましい。更には、少なくとも２本以上の前身頃第２伸長抑制部２０が前身頃下半部２Ｄに配されていることがより好ましい。特に、本実施形態においては、前身頃第２伸長抑制部２０は、複数本の前身頃第２伸長抑制部２３〜２６からなり、その中の３本の前身頃第２伸長抑制部２３，２４，２５が側方伸長抑制部１１，１２に接しているので、前身頃第２伸長抑制部２０が垂れ下がる力を分散できるので、より効果的に垂れ下がりを抑制することができる。
【００４６】
また、前身頃第１伸長抑制部２１，２２が前身頃下半部２Ｄの幅方向中央領域２Ｃ側から前身頃上半部２Ｕの側部に亘って延びていることにより、前身頃２及び／又は後身頃３の広い範囲に高い伸長性を付与した場合であっても、パッドホルダー１を引き上げて着用する際に、ホルダーの股下部４付近が大腿部に引っ掛かり十分引き上げられないという不具合が生じにくく、手直しすることなくパッドホルダー１全体を適正位置にまで容易に引き上げることができる。引下げ時には、上前腸骨棘８１，８１に位置する前身頃第１伸長抑制部２１，２２を、着用者あるいは介護者が上前腸骨棘８１、８１上から外すことにより、前身頃第１伸長抑制部２１，２２によるずり落ち抑制効果が解除され、容易に引き下げることができる。
吸収性パッド７やパッドホルダー１の下方へのずり落ちを効果的に防止するとともに、パッドホルダー１が呼吸等による腹囲変化に柔軟に対応するために、前身頃第１伸長抑制部２１，２２は、少なくとも前身頃上半部２Ｕにおいて互いに交差しないことが好ましい。
【００４７】
本実施形態のパッドホルダー１は、図２に示すように、前身頃２における腸骨稜８，８を覆う部分が前身頃第１伸長抑制部２１，２２より高伸長性の部分２ｂ，２ｃであり、前身頃第１伸長抑制部２１，２２が腸骨稜よりも上方に位置するので、高伸長性の部分２ｂ，２ｃとの境界部付近が腸骨稜８，８に引っ掛かり易い。そのため、吸収性パッド７やパッドホルダー１の下方へのずり落ちをより効果的に防止することができる。特に、上前腸骨稜８，８を覆う部分が伸縮性であると、着用中に着用者の動きに追従しやすく、かつ、前身頃伸長抑制部２１，２２が引っ掛かる際に上前腸骨稜に当たる感触が柔らかくなるので好ましい。
【００４８】
しかも、本実施形態のパッドホルダー１は、上述した前身頃第１伸長抑制部２１，２２により、吸収性パッド７やパッドホルダー１の下方へのずり落ちを効果的に防止することができるため、着用者のそけい部に沿うように弾性部材を配して、パッドホルダーをそけい部に押しつける必要がない。そけい部に弾性部材を配することもできるが、そけい部を弾性部材で締め付けなくてすむことは、肌に与える刺激低減、良好な着用感の観点から好ましく、肌の弱い高齢者に特に好ましい。
【００４９】
また、前身頃第２伸長抑制部２０が間欠に複数本（本実施形態においては４本の前身頃第２伸長抑制部２３〜２６）配されていることによって、吸収性パッド７の長手方向の位置を容易に合わせることもできる。そして、そのうちの少なくとも１本、好ましくは２本以上が前身頃下半部２Ｄに配されることにより（本実施形態においては３本の前身頃第２伸長抑制部２４〜２６）、吸収性パッド７の安定的な固定と良好な着用性を得ることができる。
【００５０】
前身頃第１伸長抑制部２１，２２は、股下（股下縁部近傍）より上方において、常に着用者のそけい部よりも上方に位置することが、パッド保持性および着用感の観点から好ましい。この場合、前身頃第１伸長抑制部２１，２２がそけい部と交差しないので、歩行等の脚部の動きがそけい部を通じて前身頃第１伸長抑制部２１，２２に伝達され難く、ひいては前身頃第１伸長抑制部を通じて前身頃第２伸長抑制部２３〜２５に伝達されにくくなるので、各伸長抑制部２１〜２５が位置ズレを有効に抑制することが容易になる。このため、吸収パッドの位置ズレを抑制することが容易となり、かつ、そけい部および各伸長抑制部当接部位に違和感を生じさせることを有効に抑制することが可能となる。
【００５１】
また、前身頃第２伸長抑制部２０は、前身頃上半部２Ｕの上部領域（前身頃上半部２Ｕのうち、前身頃上半部２ＵのＹ方向中央部からウエスト開口部５に向かう側の領域）には存在しないことが好ましい。前身頃上半部２Ｕの前記上部領域において前身頃第２伸長抑制部２０による吸収性パッド７の位置ずれや、吸収性パッド７の揺れによる本体の歪み防止の効果（梁の効果）は小さい一方、腹囲変化が制限されて着用者に圧迫感を与える懸念を軽減することができるためである。
【００５２】
また、本実施形態のパッドホルダー１においては、上述したように、着用時に、着用者の腸骨稜８の一部を、より具体的には腸骨稜８の最上部を、前身頃伸長抑制部２１，２２と前身頃第２伸長抑制部２３の延出部分２３ｃとで挟むことができるようになされている。前身頃第１伸長抑制部２１，２２と前身頃第２伸長抑制部２３の延出部分２３ｃとが腸骨稜８の一部を囲うことにより（腸骨稜８に引っ掛かることにより）、着用者が立ち座りや歩行等の活動をしてもパッドホルダー１の位置ずれ（上下左右のずれ）が生じにくく着用感に優れる。また、パッドホルダー１の位置ズレが抑制されることで吸収性パッド７の位置ずれも生じにくく防漏性の観点からも好ましい。更に、前身頃第２伸長抑制部２０（本実施形態では、前身頃第２伸長抑制部２３，２４）が、その間に上前腸骨棘８１を配するように存在すると、パッドホルダー１の位置ずれ（特に、上下のずれ）が生じにくく着用感に優れるので好ましい。なお、延出部分２３ｃを有する前身頃第２伸長抑制部２３は、図５に示すように、パッドホルダー１の側部において、後身頃第２伸長抑制部３５と連続し、着用者の胴回りを囲む環状の伸長抑制部を形成していることが好ましい。
【００５３】
なお、本実施形態のパッドホルダー１においては、図２に示すように、パッドホルダー１の着用時に、一対のレッグ開口部６，６の開口周縁部は、股下部４より下方に位置している。一対のレッグ開口部６，６の開口周縁部は、着用者のそけい部に沿うライン（図示せず）よりも下方に位置することが、吸収性パッドの保持性及びホルダーから外部への露出防止の点から好ましい。また、可動量が大きく、個人間で周長差が大きいレッグ開口部６，６の開口周縁部には、幅方向の伸長を抑制する伸長抑制部が形成されていないことが好ましく、レッグ開口部６，６の開口周縁端から内側３ｃｍ以内に幅方向に延びる伸長抑制部を形成しないことが更に好ましい。
【００５４】
本実施形態のパッドホルダー１における前身頃第１伸長抑制部２１，２２は、それぞれ、前身頃下半部２Ｄから前身頃上半部２Ｕの側部にかけての領域における接線Ｌ（一方のみ図示）と、パッドホルダーの幅方向に延びる直線（例えば、股上長Ｌ２を２等分する直線Ｌ２１）とのなす角度α（図１参照）が、前身頃上半部２Ｕの前記側部に近づくに従って漸次減少するように円弧状に形成されている。斯かる構成により、伸長抑制部２１，２２のライン上の一点に集中的に加重や歪みが加わることが防止されるため、伸長抑制部２１，２２が着用者の体型に隙間なくフィットし、且つ腸骨稜８，８に一層引っ掛かり易い。そのため、着用感やずり落ち防止性に一層優れている。
【００５５】
前身頃第１伸長抑制部２１，２２、側方伸長抑制部１１，１２及び前身頃第２伸長抑制部２０には、ポリウレタン弾性繊維（スパンデックス）等の弾性糸を含まないことが好ましい。収縮性を有する弾性糸が伸長抑制部に含まれると、前身頃第１伸長抑制部２１，２２と前身頃第２伸長抑制部２０とが交差する場合にはその交差部で、側方伸長抑制部１１，１２と前身頃第２伸長抑制部２０とが接する場合にはその接触部で、組織密度（編物の場合は編組織密度）が高まり組織の硬化が生じやすくなる。弾性糸を含まない場合はこのような硬化は生じず、着用者の肌への刺激を抑制することができる。
【００５６】
本実施形態のパッドホルダー１は、図３及び図４に示すように、後身頃３において、後身頃第１伸長抑制部３１，３２、後身頃中間伸長抑制部３３，３４および後身頃第２伸長抑制部３０を有している。
より具体的に説明すると、後身頃下半部３Ｄの幅方向中央領域３Ｃから後身頃上半部３Ｕの側部に向かって延びる左右一対の後身頃第１伸長抑制部３１，３２と、後身頃下半部３Ｄからウエスト開口部５に向かって延びる左右一対の後身頃中間伸長抑制部３３，３４とが形成されている。パッドホルダーの幅方向（Ｘ方向）に延びる後身頃第２伸長抑制部３０は、本実施形態においては４本の後身頃第２伸長抑制部３５〜３８から形成されている。
【００５７】
ここで後身頃下半部３Ｄとは、上述した前身頃下半部２Ｄと同様に、図３に示すように、後身頃３の股上長Ｌ３を２等分する直線Ｌ３１より下方に位置する部分であり、後身頃上半部３Ｕとは、上述した前身頃上半部２Ｕと同様に、同直線Ｌ３１より上方に位置する部分である。更に、幅方向中央領域３Ｃとは、上述した幅方向中央領域２Ｃと同様に、図３に示すように、後身頃３を左右に３等分に区分したときの最も左側に位置する領域（幅方向側方領域３Ｌ）と、最も右側に位置する領域（幅方向側方領域３Ｒ）とで挟まれた領域である。
【００５８】
後身頃第１伸長抑制部３１，３２は、図４に示すように、それぞれ、骨盤の凹部と臀筋群の重なり部にできる窪み９上を通るように、好ましくは窪み９の中央部上を通るようにパッドホルダー１の略縦方向（Ｙ方向）に延びて形成されている。図７（ａ）〜（ｃ）には、身体の内側から外側（皮膚表面側）に向かってこの順に重なって存在する、骨盤９１，中臀筋９２及び大臀筋９３を示しており、図７（ｄ）には、骨盤９１の凹部と臀筋群（中臀筋９２及び大臀筋９３）の重なり部にできる窪み９の位置及び大体の大きさを示している。窪み９は、骨盤９１の凹部に、臀筋群（中臀筋９２及び大臀筋９３）が入り込むことによってできるものである。
この臀部の窪み９上、特にその中央部の位置を通るように後身頃第１伸長抑制部３１，３２を配置することにより、吸収性パッド７と肌との間に隙間が生じることを効果的に防止でき、防漏性が向上する。
【００５９】
後身頃第１伸長抑制部３１，３２は、後身頃上半部３Ｕ側の端部３１ａ，３２ａが、図３に示すように、パッドホルダー１を前身頃２と後身頃３との肌対向面同士を面接させて平面状の自然状態としたときにホルダーの側部に生じる折曲線１ａ，１ａに、達していることが好ましい。前記端部３１ａ，３２ａは、それぞれ折曲線１ａ，１ａに達していなくても良いが、その場合、折曲線３ａ，３ａまでの最短距離が３０ｍｍ以下、特に１０ｍｍ以下であることが好ましい。
また、後身頃第１伸長抑制部３１，３２の端部３１ａ，３２ａは、図３に示すように、最もウエスト開口部５寄りの後述する後身頃第２伸長抑制部３５の位置よりウエスト開口部５側（上側）に延出している。
また、後身頃第１伸長抑制部３１，３２は、後身頃下半部２Ｄ側の端部３１ｂ，３２ｂが、図３に示すように、後身頃下半部３Ｄにおける幅方向中央領域３Ｃより中心線ＣＬ寄りの、一対のレッグ開口部６，６間の領域４１まで入り込んでいることが好ましく、前身頃２と後身頃３との肌対向面同士を面接させて平面状の自然状態としたときに股下部４に生じる折曲線１ｂに、達していることがより好ましい。
【００６０】
後身頃中間伸長抑制部３３，３４は、図３に示すように、ウエスト開口部５側の端部３３ａ，３４ａが、後身頃上半部３Ｕに存することが好ましい。ただし、該端部３３ａ，３４ａとウエスト開口部５の開口周縁端との間の距離は３ｃｍ以上、特に５ｃｍ以上離れていることが好ましい。前記端部３３ａ，３４ａが、ウエスト開口弾性部５１まで達している場合には、背側のパッドホルダーの縦方向（Ｙ方向）伸縮性が低下し、背側のずり落ちが懸念されるためである。
後身頃中間伸長抑制部３３，３４の端部３３ａ，３４ａは、図３に示すように、最もウエスト開口部５寄りの後述する後身頃第２伸長抑制部３５と接している。
【００６１】
後身頃中間伸長抑制部３３，３４は、後身頃下半部３Ｄ側の端部３３ｂ，３４ｂが、図３に示すように、後身頃下半部３Ｄにおける幅方向中央領域３Ｃより中心線ＣＬ寄りの、一対のレッグ開口部６，６間の領域４１まで入り込んでいることが好ましく、それぞれ、股下部４に生じる前記折曲線１ｂに達していることがより好ましい。後身頃中間抑制部３３，３４の面積は、パッドホルダーの自然状態において後身頃面積の２％以上１５％未満、特に４％以上１０％未満であることが、装着感、着用操作時の引き上げ性、吸収性パッドの安定したホールド性の観点から好ましい。
【００６２】
本実施形態のパッドホルダー１において、前身頃２の前身頃第１伸長抑制部２１，２２と後身頃３の後身頃第１伸長抑制部３１，３２とは、着用者の股間部４及び側部に配される部位で連接されており、全体として環状に連続している。これにより、環状に連続した伸長抑制部が、恥骨結合部と上前腸骨棘８１とで位置固定されるため、ずり落ちが一層抑制される。特に、着座姿勢等で後身頃側がより引っ張られるような状況におけるずり落ち抑制効果の観点から好ましい。ここで、恥骨結合部とは、解剖学の用語であり、骨盤の下方において左右両側に位置している恥骨が股下中央で結合している部分である。
【００６３】
後身頃第２伸長抑制部３０の４本の後身頃第２伸長抑制部３５〜３８は、それぞれ、図３に示すように、パッドホルダーの幅方向（Ｘ方向）に延びて形成されている。また、後身頃第２伸長抑制部３５〜３８は、パッドホルダーの縦方向（Ｙ方向）に間欠に配置されている。
後身頃第２伸長抑制部３０は、上方あるいは下方に向けて凸状、あるいは波状等の形状を有していても良い。パッド保持性や着用者へのフィット性の観点から直線状か下方に向けて凸状であることが好ましい。
【００６４】
後身頃第２伸長抑制部３０は、一対の後身頃第１伸長抑制部３１，３２間に亘って形成されている。より具体的には、図３に示すように、４本の後身頃第２伸長抑制部３５〜３８のうちの３本の後身頃第２伸長抑制部３５〜３７は、パッドホルダーの幅方向（Ｘ方向）において、後身頃第１伸長抑制部３１，３２よりも外方に、側方伸長抑制部１１，１２と接する迄延出している。他方、残りの１本の後身頃第２伸長抑制部３８は、その幅方向（Ｘ方向）両端部が、後身頃第１伸長抑制部３１，３２の位置にある。
【００６５】
後身頃第１伸長抑制部３１，３２、後身頃中間伸長抑制部３３，３４は、それら以外の部分（高伸長性部分）よりも縦方向（Ｙ方向）の最大伸長率が低くなされている。第３，４伸長抑制部３１〜３４の好ましい伸長性は、前述した前身頃第１伸長抑制部２１，２２と同様である。
後身頃第２伸長抑制部３０は、それら以外の部分（高伸長性部分）よりも幅方向（Ｘ方向）の最大伸長率が低くなされている。後身頃第２伸長抑制部３０の好ましい伸長性は、前述した前身頃第２伸長抑制部２０と同様である。
【００６６】
パッドホルダー１の左右同じ側の、後身頃第１伸長抑制部３１，３２と後身頃中間伸長抑制部３３，３４との間隔Ｗ３（図３参照）、即ち、後身頃第１伸長抑制部３１と後身頃中間伸長抑制部３３との間隔及び後身頃第１伸長抑制部３２と後身頃中間伸長抑制部３４との間隔は、パッドホルダー１の縦方向（Ｙ方向）において下方から上方に向かうに連れて漸増している。これにより、後身頃第１伸長抑制部３１，３２により吸収性パッド７の中央部分（例えば、内部に吸収性コアを有する部分）を抑える一方、後身頃中間伸長抑制部３３，３４により、吸収性パッド７の両側部（例えば、吸収性コアの両側縁から延出するサイドフラップ部分等）を抑えることができ、防漏性が向上する。また、ウエスト開口部５側に進むに従って、後身頃第１伸長抑制部３１，３２と後身頃中間伸長抑制部３３，３４との間隔Ｗ３が開いてくるため、前後が扇状に開いた瓢箪型のパッドでもしっかりと肌にフィットさせることができる。
【００６７】
本実施形態のパッドホルダー１を形成する伸縮性部材を含んだ伸縮性シートとしては、編地、伸縮性不織布等を用いることができるが、特に、糸自体が伸縮性を有すると共に、伸縮性が発現し易い編み方で形成された編地を用いることが好ましい。
本実施形態のパッドホルダー１は、丸編機等により製造された伸縮性に富む円筒状の編地から形成されており、前身頃２と後身頃３とをつなぎ合わせる継ぎ目が無いシームレスで形成されていることが好ましい。パッドホルダー１のウエスト開口部５及び一対のレッグ開口部６，６の開口周縁部においては、円筒状の編地の端部から所定幅の部分を折り返して縫合することでウエスト開口弾性部５１及びレッグ開口弾性部６１を形成してある。各伸長抑制部２１〜２６，３１〜３８は、それらの部分の編地の網目を他の部分より密にすることで最大伸長率を低下させてある。伸長抑制部２１〜２６，３１〜３８の他の形成方法としては、例えば、伸縮性に富むシートに、伸長性に劣る帯状のシートを縫合や融着等により接合する方法が挙げられる。
【００６８】
また、本実施形態のパッドホルダー１は、１００ｃｍ周長時の幅方向（Ｘ方向）伸縮応力が５〜４０Ｎ、特に１０〜３０Ｎであることが好ましく、７５０ｇ荷重時のパッドホルダー１の縦方向（Ｙ方向）の伸度が１７５〜５００％、特に２００〜３００％であることが好ましい。１００ｃｍ周長とは、着用者が履き上げ時にウエストを拡げるおよその値であり、７５０ｇ荷重とは、着用者が履き上げ時にウエストを引っ張るときのおおよそのモデル値である。
前記幅方向（Ｘ方向）伸縮応力を上記範囲としてパッドホルダー１を比較的低い応力で開くようにし、また、前記縦方向（Ｙ方向）の伸度を上記範囲として適度な縦伸が発現するようにすることで、容易な引き上げ性を達成することができる。但し、これだけではずり落ち性の悪化は避けられないが、本発明のように伸長抑制部２１〜２６，３１〜３８を設けることで、引き上げ性とずり落ち防止性との両立を図ることができる。
【００６９】
〔１００ｃｍ周長時の幅方向（Ｘ方向）伸縮応力の測定方法〕
測定対象のパッドホルダーを、一対のＵ字状の治具間に架け渡すようにして、引張試験機（例えば、オリエンテック社製の「ＲＴＡ−１００」等）のチャック間に固定する。初期状態では、パッドホルダーが自然状態（外力が加わらない状態）になるように設定する。そして、チャック間に固定したパッドホルダーを、３００ｍｍ／ｍｉｎで伸長させ、パッドホルダーのウエスト左右両脇間距離が５０ｃｍになった時の応力を「１００ｃｍ周長時の幅方向（Ｘ方向）伸縮応力」とする。
【００７０】
〔７５０ｇ荷重時の縦方向の伸度の測定方法〕
測定対象のパッドホルダーから、自然状態において、その縦方向（Ｙ方向）に１００ｍｍ、幅方向（Ｘ方向）に５０ｍｍの寸法の長方形形状を切り出し、この切り出された長方形形状を測定用サンプルとする。
この測定サンプルを、その長手方向（Ｙ方向相当）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／ｍｉｎで引っ張り、７５０ｇ（７．４Ｎ）荷重を示したところで停止させる。その際のチャック間距離を測定し、次式より「７５０ｇ荷重時の縦方向（Ｙ方向）の伸度」を算出する。
伸度（％）＝｛（伸長時のチャック間距離（ｍｍ）／初期チャック間距離５０ｍｍ｝×１００
【００７１】
以上、本発明をその好ましい実施形態に基づき説明したが、本発明は実施形態に制限されない。
例えば、前身頃第１伸長抑制部２１，２２、後身頃第１伸長抑制部３１，３２は、図１に示すように、全長に亘って円弧状のものであるが、それに代えて、直線部と円弧状部とを有するものや、角度をなして連接された２本又は３本以上の直線部からなるもの等を設けることもできる。
また、パッドホルダー１の前身頃第１伸長抑制部２１，２２および後身頃第１伸長抑制部３１，３２は、それぞれ、折曲線１ａ，１ａ及び／又は折曲線１ｂに達しているが、達していないものであっても良い。即ち、図５に示すように、前身頃第１伸長抑制部２１，２２と後身頃第１伸長抑制部３１，３２とが連設されていなくても良い。また、図１に示す前身頃２の４本の伸長抑制部２３〜２６、図３に示す後身頃３の後身頃第１伸長抑制部３１，３２、後身頃中間伸長抑制部３３，３４及び４本の後身頃第２伸長抑制部３５〜３８は、一部又は全部を省略することもできる。
【００７２】
また、上述したパッドホルダー１においては、前身頃２の前身頃第２伸長抑制部２０及び後身頃３の後身頃第２伸長抑制部３０がそれぞれ４本であったが、それぞれ１本、２本、３本又は５本以上（例えば５本〜８本）であっても良い。但し、前身頃第２伸長抑制部２０及び後身頃第２伸長抑制部３０は、複数本であること、特に２〜７本であることが、密着性と着脱容易性の観点から好ましく、２〜５本がより好ましい。また、４本の前身頃第２伸長抑制部２３〜２６及び４本の後身頃第２伸長抑制部３５〜３８の中で、それぞれの３本のみを、前身頃第１伸長抑制部２１，２２又は後身頃第１伸長抑制部３１，３２の位置を超えて幅方向（Ｘ方向）に延出させているが、それに代えて、４本全てを延出させることもでき、また、１本も延出させないこともできる。
また、上述したパッドホルダー１においては、前身頃第１伸長抑制部２１，２２、側方伸長抑制部１１，１２、前身頃第２伸長抑制部２０、後身頃第１伸長抑制部３１，３２、後身頃中間伸長抑制部３３，３４、及び後身頃第２伸長抑制部３０が各々は連続に延びていたが、必ずしも、連続に延びている必要はなく、その一部で分断されて高伸長性部分を一部に含んでいる場合、たとえば、伸長抑制部と高伸長性部分が交互に配列していても良い。ただし、併用される吸収性パッドの着用者の股間部へのフィット性、着用する際の脱着性や着用感の観点から、前身頃第１伸長抑制部２１，２２、側方伸長抑制部１１，１２、前身頃第２伸長抑制部２０、後身頃第１伸長抑制部３１，３２、後身頃中間伸長抑制部３３，３４、及び後身頃第２伸長抑制部３０は連続に延びていることが好ましい。
【符号の説明】
【００７３】
１  パッドホルダー
２  前身頃
２１，２２  前身頃第１伸長抑制部（伸長抑制部）
２０  前身頃第２伸長抑制部
２３〜２６  ４本の前身頃第２伸長抑制部
２Ｕ  前身頃上半部
２Ｄ  前身頃下半部
Ｌ２  前身頃の股上長
２Ｃ  幅方向中央領域
２Ｒ  右側に位置する幅方向側方領域
２Ｌ  左側に位置する幅方向側方領域
３  後身頃
３１，３２  後身頃第１伸長抑制部
３３，３４  後身頃中間伸長抑制部
３０  後身頃第２伸長抑制部
３５〜３８  ４本の後身頃第２伸長抑制部
３Ｕ  後身頃上半部
３Ｄ  前身頃下半部
Ｌ３  後身頃の股上長
３Ｃ  幅方向中央領域
３Ｒ  右側に位置する幅方向側方領域
３Ｌ  左側に位置する幅方向側方領域
４  股下部
５  ウエスト開口部
５１  ウエスト開口弾性部
６  レッグ開口部
６１  レッグ開口弾性部
７  吸収性パッド
８  腸骨稜
８１  上前腸骨棘
１１  側方伸長抑制部
１１ａ  側方伸長抑制部１１のウエスト開口部５側の一端部
１１ｂ  側方伸長抑制部１１のレッグ開口部６側の他端部
１２  側方伸長抑制部
１２ａ  側方伸長抑制部１２のウエスト開口部５側の一端部
１２ｂ  側方伸長抑制部１２のレッグ開口部６側の他端部
【図１】
0005492640.tif 000002
【図２】
0005492640.tif 000003
【図３】
0005492640.tif 000004
【図４】
0005492640.tif 000005
【図５】
0005492640.tif 000006
【図６】
0005492640.tif 000007
【図７】
0005492640.tif 000008